(57)【特許請求の範囲】
【請求項１】
固有識別子を有するワイヤレスマイクと、前記固有識別子を登録する固有識別子登録手段、および前記固有識別子に対応付けされている個別識別子を前記ワイヤレスマイクに付与する個別識別子付与手段を有する音声受信機とを備え、前記ワイヤレスマイクが前記個別識別子と音声データとを同時に送信することを特徴とするワイヤレスマイクシステム。
【請求項２】
前記個別識別子付与手段が、前記ワイヤレスマイクと前記音声受信機との間を赤外線通信で行うことを特徴とする請求項１に記載のワイヤレスマイクシステム。
【請求項３】
前記個別識別子付与手段が、前記ワイヤレスマイクと前記音声受信機との間を特定周波数の電波を介して行うことを特徴とする請求項１に記載のワイヤレスマイクシステム。
【発明の詳細な説明】
【０００１】
【発明の属する技術分野】
本発明は、同一エリアにおいて複数のワイヤレスマイクが利用される環境でも、他のワイヤレスマイクシステムや無線システム等の受信電波と誤認識してしまうことなく、利用することができる、多チャンネルのワイヤレスマイクシステムに関する。
【０００２】
【従来の技術】
従来より、電波をワイヤレスマイクと音声受信機との間で送受することにより、接続ケーブルを引き回すことなく、音声の拡声などを可能にするワイヤレスマイクシステムが知られている。
【０００３】
この種の一般的なワイヤレスマイクシステムとしては、例えば、図１２に示すようなシステム構成となる。このワイヤレスマイクシステムでは、エリアＬ１内においてワイヤレスマイク１を使用したい場合、まず、音声の送出先の受信機２に関係なく、ワイヤレスマイク１が使用する周波数チャンネルを手動で周波数チャンネルαに設定する。次に、受信機２の受信周波数チャンネルを手動でαに設定することにより、ワイヤレスマイク１からの音声を受信機２で受信する仕組となっている。
【０００４】
【発明が解決しようとする課題】
しかしながら、このような従来のワイヤレスマイクシステムにあっては、例えば、ワイヤレスマイク３の使用者がエリアＬ１、Ｌ２が重なるような位置にいる場合には、受信機２にワイヤレスマイク３を設定しない限り、一方の受信機４では正常に受信できているが、他方の受信機２では外来電波として認識されてしまい、混信（誤認識）の原因になってしまうという問題点が生じていた。
【０００５】
また、従来のワイヤレスマイクシステムで多チャンネルシステムを構成しようとした場合、混信を回避するために、1つ1つのワイヤレスマイク１、３と受信機２、４に対して、通信を行うための周波数チャンネルの設定が重ならない様に全て手動で設定を行う必要があり、周波数チャンネルの管理が非常に困難で、混信しやすいという問題点が生じていた。
【０００６】
本発明は、このような問題を解決するためになされたもので、同一エリア内で使用する複数ワイヤレスマイクの音声を混信することなく通信することができる、容易に構成可能な多チャンネルのワイヤレスマイクシステムを提供するものである。
【０００７】
【課題を解決するための手段】
本発明のワイヤレスマイクシステムは、固有識別子を有するワイヤレスマイクと、前記固有識別子を登録する固有識別子登録手段、および前記固有識別子に対応付けされている個別識別子を前記ワイヤレスマイクに付与する個別識別子付与手段を有する音声受信機とを備え、前記ワイヤレスマイクが前記個別識別子と音声データとを同時に送信する構成を有している。
【０００８】
この構成により、例えば、製造番号等の物理的な固有識別子（以下、グローバルＩＤと記す）を保有しているワイヤレスマイクを、音声受信機に対して登録することにより、任意のエリア内においての個別識別子（以下、ローカルＩＤと記す）をワイヤレスマイクに対して付与することができ、この後に、受信データからローカルＩＤを検出したときに、その検出ローカルＩＤが検索するデータベース内の登録データと一致した場合に限り、予め音声受信機内で保有している周波数チャンネルテーブルから双方向通信を行うための周波数チャンネルをワイヤレスマイクに対して設定することができる。したがって、任意のエリア内において、ワイヤレスマイクが発信した電波を他の無線システムからの電波と誤認識することなく、予め登録されているワイヤレスマイクに対してのみ自動チャンネル設定を行うことができる。
【０００９】
ここで、本発明のワイヤレスマイクシステムは、前記個別識別子付与手段が、前記ワイヤレスマイクと前記音声受信機との間を赤外線通信で行う構成を採用したり、または、前記個別識別子付与手段が、前記ワイヤレスマイクと前記音声受信機との間を特定周波数の電波を介して行う構成を採用するのが好適である。
【００１０】
【発明の実施の形態】
以下、本発明を図面に基づいて説明する。図１〜図３は本発明に係るワイヤレスマイクシステムの第１実施形態を示す図である。
【００１１】
図１において、双方向デジタルワイヤレスマイクシステムは、システム全体としては、それぞれ独立した電波環境にあるエリアＬ１〜Ｌ３の３つのエリアのうちの、エリアＬ１で８本のワイヤレスマイク１１〜１８を使用するものである。
【００１２】
ワイヤレスマイク１１〜１８は、例えば、製造番号等の固有の識別子（グローバルＩＤ）をメモリ（固有識別子登録手段）内に予め設定登録されている。そして、そのグローバルＩＤは、エリアＬ１内の音声受信機１００のメモリのＩＤデータ保存部１０１に登録される。つまり、図２に示すように、ワイヤレスマイク１１〜１８毎の固有のグローバルＩＤ：Ａ〜ＮがそのエリアＬ１内で個別識別子として使用するローカルＩＤ：ａ〜ｎにＩＤデータ保存部１０１内の周波数チャンネル割当てテーブル内で対応付けされて登録されている。すなわち、ＩＤデータ保存部１０１は、個別識別子登録手段に加えて、固有識別子登録手段をも構成している。
【００１３】
そして、このワイヤレスマイクシステムは、音声受信機１００がアンテナ１０２を介して無線通信するワイヤレスマイク１１などに対して、グローバルＩＤ毎にローカルＩＤを対応させて予め保有する周波数チャンネル割当てテーブルに基づいて、他の電波と誤認識することのないように個別識別子付与手段によりローカルＩＤを付与してチャンネル設定をするようになっている。
【００１４】
具体的には、図３のフローチャートに示すように、音声受信機１００は、例えば、電源をＯＮされた際に、あるいは、ワイヤレスマイク１１がエリアＬ１内でスイッチをＯＮにされた際にそのワイヤレスマイク１１から送られてくる信号に応答して、ワイヤレスマイク１１に対して、ワイヤレスマイク１１固有の識別子であるグローバルＩＤを送信するよう要求する（ステップＳ１１）。
【００１５】
グローバルＩＤの送信要求を受けたワイヤレスマイク１１は、ワイヤレスマイク１１の識別子であるグローバルＩＤ：Ａを参照して送信する（ステップＳ１２、Ｓ１３）。
【００１６】
受信したデータの中からグローバルＩＤ：Ａを検出した音声受信機１００は、ＩＤデータ保存部１０１内を参照して登録データ中からグローバルＩＤ：Ａを検索する（ステップＳ１４）。この音声受信機１００は、その検索の結果、前記グローバルＩＤ：Ａが登録されていた場合には（ステップＳ１５）、通信許可をするためにエリアＬ１内でのワイヤレスマイク１１の識別子となるローカルＩＤ：ａを付与する（ステップＳ１６）。
【００１７】
ローカルＩＤを付与されたワイヤレスマイク１１は、付与されたローカルＩＤ：ａをメモリ内に記録保持し（ステップＳ１７）、音声データを送出する際に、ワイヤレスマイク１１の識別信号として同時にローカルＩＤも送出する。
【００１８】
したがって、音声受信機１００が、双方向通信を行うワイヤレスマイク１１に対して、ローカルＩＤに基づいて周波数チャンネルテーブルから使用する周波数チャンネルを自動的に設定することができる。
【００１９】
その一方で、前記ワイヤレスマイク１１をエリアＬ２で使用した場合には、エリアＬ２の受信局（受信機）に対してワイヤレスマイク１１を登録してはいないので、図３におけるステップＳ１５、Ｓ１８が行われて、グローバルＩＤを通知しただけでは通信許可が得られない。すなわち、ワイヤレスマイク１１をエリアＬ２で使用する際には、新規にエリアＬ２の受信機に対してグローバルＩＤを登録し、エリアＬ２内においてのワイヤレスマイク１１の識別信号となるローカルＩＤを取得する必要がある。ワイヤレスマイク１１をエリアＬ３で使用する場合も同様である。
【００２０】
このように本実施形態においては、ワイヤレスマイク１１〜１８毎に固有の識別子であるグローバルＩＤを登録して、任意のエリア内におけるローカルＩＤという個別の識別子を対応付けして付与するだけの簡易な構成によって、同一エリア内で複数のワイヤレスマイク１１〜１８を使用した場合でも、混信が生じてしまうことを防止することができ、また、ワイヤレスマイク１１〜１８が発信した電波を他のエリアで使用しているデジタルワイヤレスシステムや、アナログワイヤレスシステムや、無線システムなどからの電波と誤認識しないように、予め登録されているワイヤレスマイク１１〜１８に対してのみ自動チャンネル設定を行うことができる。
【００２１】
次に、図４および図５は本発明に係るワイヤレスマイクシステムの第２実施形態を示す図である。なお、本実施形態は、上述実施形態と略同様に構成されているので、図１および図２を流用して、同様な構成には同一の符号を付して特徴部分を説明する（以下で説明する他の実施形態でも同様）。
【００２２】
図４において、双方向デジタルワイヤレスマイクシステムの音声受信機１００は、エリアＬ１で使用する８本のワイヤレスマイク１１〜１８との間で信号を送受可能に直接装着する接続部（直接接続手段）１０３を備えており、予め設定するワイヤレスマイク１１〜１８毎の固有のグローバルＩＤ：Ａ〜Ｎを直接接続部１０３を介して受け取って登録するとともに、それぞれのワイヤレスマイク１１〜１８に対してエリアＬ１内でのローカルＩＤ：ａ〜ｎを付与することができるようになっている。なお、ワイヤレスマイク１１〜１８には、直接接続部１０３を受けて電気的に接続する不図示の接続部が設けられている。
【００２３】
具体的には、図５のフローチャートに示すように、例えば、音声受信機１００の直接接続部１０３にワイヤレスマイク１１が装着セットされると（ステップＳ２１）、音声受信機１００は、ワイヤレスマイクの装着を確認し（ステップＳ２２）、そのワイヤレスマイクに固有の識別子であるグローバルＩＤを送信するよう要求する（ステップＳ２３）。
【００２４】
グローバルＩＤの送信要求を受けたワイヤレスマイク１１は、ワイヤレスマイク１１の識別子であるグローバルＩＤ：Ａを参照して送信する（ステップＳ２４、Ｓ２５）。
【００２５】
受信したデータの中からグローバルＩＤ：Ａを検出した音声受信機１００は、ＩＤデータ保存部１０１内にそのグローバルＩＤ：Ａを登録する（ステップＳ２６）とともに、エリアＬ１内でのワイヤレスマイク１１の識別子となるローカルＩＤ：ａを発行して送信・付与する（ステップＳ２７）。
【００２６】
ローカルＩＤを受信したワイヤレスマイク１１は、付与されたローカルＩＤ：ａをメモリ内に記録保持し（ステップＳ２８）、登録処理を完了する。
【００２７】
したがって、ワイヤレスマイク１１〜１８を音声受信機１００の直接接続部１０３に装着するだけで、グローバルＩＤの取得やローカルＩＤの付与を完了して、使用可能にワイヤレスマイク１１〜１８を登録することができる。
【００２８】
このように本実施形態においては、上述実施形態による作用効果に加えて、ワイヤレスマイク１１〜１８を音声受信機１００に対して登録する際に、テンキーなどによる入力操作を行うことなく、そのワイヤレスマイク１１〜１８を音声受信機１００の直接接続部１０３に装着するという機構的なセットで、ワイヤレスマイクとの間でグローバルＩＤやローカルＩＤのやり取りを行って、使用するワイヤレスマイク１１〜１８の登録を完了することができる。したがって、他の電波と誤認識しないように、自動チャンネル設定を行うことができるようにワイヤレスマイク１１〜１８を容易に予め登録することができる。
【００２９】
次に、図６および図７は本発明に係るワイヤレスマイクシステムの第３実施形態を示す図である。
【００３０】
図６において、双方向デジタルワイヤレスマイクシステムの音声受信機１００は、エリアＬ１で使用する８本のワイヤレスマイク１１〜１８との間で信号を送受可能にケーブルＣを接続する通信接続ポート（通信接続手段）１０４を備えており、上述実施形態と同様に、予め設定するワイヤレスマイク１１〜１８毎の固有のグローバルＩＤ：Ａ〜ＮをケーブルＣと通信接続ポート１０４を介して受け取って登録するとともに、それぞれのワイヤレスマイク１１〜１８に対してエリアＬ１内でのローカルＩＤ：ａ〜ｎを付与することができるようになっている。なお、ワイヤレスマイク１１〜１８にもケーブルＣを電気的に接続する不図示の通信接続ポートが設けられている。
【００３１】
具体的には、図７のフローチャートに示すように、例えば、ワイヤレスマイク１１および音声受信機１００の通信接続ポート１０４にケーブルＣが接続されると、そのワイヤレスマイク１１が、固有の識別子であるグローバルＩＤの登録要求を音声受信機１００にすることにより（ステップＳ３１）、その音声受信機１００が、登録要求を受け取って確認し（ステップＳ３２）、グローバルＩＤを送信するようワイヤレスマイク１１に要求する（ステップＳ３３）。
【００３２】
以降、上述実施形態と同様に、グローバルＩＤの送信要求を受けたワイヤレスマイク１１は、ワイヤレスマイク１１の識別子であるグローバルＩＤ：Ａを参照して送信する（ステップＳ３４、Ｓ３５）。
【００３３】
受信したデータの中からグローバルＩＤ：Ａを検出した音声受信機１００は、ＩＤデータ保存部１０１内にそのグローバルＩＤ：Ａを登録する（ステップＳ３６）とともに、エリアＬ１内でのワイヤレスマイク１１の識別子となるローカルＩＤ：ａを発行して送信・付与する（ステップＳ３７）。
【００３４】
ローカルＩＤを受信したワイヤレスマイク１１は、付与されたローカルＩＤ：ａをメモリ内に記録保持し（ステップＳ３８）、登録処理を完了する。
【００３５】
したがって、ワイヤレスマイク１１〜１８と音声受信機１００をケーブルＣにより接続するだけで、グローバルＩＤの取得やローカルＩＤの付与を完了して、使用可能にワイヤレスマイク１１〜１８を登録することができる。
【００３６】
このように本実施形態においては、上述実施形態による作用効果に加えて、ワイヤレスマイク１１〜１８を音声受信機１００に対して登録する際に、テンキーなどによる入力操作を行うことなく、そのワイヤレスマイク１１〜１８と音声受信機１００をケーブルＣにより接続することにより、ワイヤレスマイクとの間でグローバルＩＤやローカルＩＤのやり取りを行って、使用するワイヤレスマイク１１〜１８の登録を完了することができる。したがって、ケーブルＣを使用することで他の無線システムの影響を気にすることなく、他の電波と誤認識しないように、自動チャンネル設定を行うことができるようにワイヤレスマイク１１〜１８を容易に予め登録することができる。
【００３７】
次に、図８および図９は本発明に係るワイヤレスマイクシステムの第４実施形態を示す図である。
【００３８】
図８において、双方向デジタルワイヤレスマイクシステムの音声受信機１００は、エリアＬ１で使用する８本のワイヤレスマイク１１〜１８との間で信号を送受可能に赤外線通信を実行する赤外線接続ポート（赤外線接続手段）１０５を備えており、上述実施形態と同様に、予め設定するワイヤレスマイク１１〜１８毎の固有のグローバルＩＤ：Ａ〜Ｎを赤外線接続ポート１０５を介する赤外線通信により受け取って登録するとともに、それぞれのワイヤレスマイク１１〜１８に対してエリアＬ１内でのローカルＩＤ：ａ〜ｎを付与することができるようになっている。なお、ワイヤレスマイク１１〜１８にも赤外線通信を行うための赤外線接続ポートが設けられている。
【００３９】
具体的には、図９のフローチャートに示すように、例えば、ワイヤレスマイク１１および音声受信機１００は赤外線接続ポート１０５が駆動されて接続されると、そのワイヤレスマイク１１が、固有の識別子であるグローバルＩＤの登録要求を音声受信機１００にすることにより（ステップＳ４１）、その音声受信機１００が、登録要求を受け取って確認し（ステップＳ４２）、グローバルＩＤを送信するようワイヤレスマイク１１に要求する（ステップＳ４３）。
【００４０】
以降、上述実施形態と同様に、グローバルＩＤの送信要求を受けたワイヤレスマイク１１は、ワイヤレスマイク１１の識別子であるグローバルＩＤ：Ａを参照して送信する（ステップＳ４４、Ｓ４５）。
【００４１】
受信したデータの中からグローバルＩＤ：Ａを検出した音声受信機１００は、ＩＤデータ保存部１０１内にそのグローバルＩＤ：Ａを登録する（ステップＳ４６）とともに、エリアＬ１内でのワイヤレスマイク１１の識別子となるローカルＩＤ：ａを発行して送信・付与する（ステップＳ４７）。
【００４２】
ローカルＩＤを受信したワイヤレスマイク１１は、付与されたローカルＩＤ：ａをメモリ内に記録保持し（ステップＳ４８）、登録処理を完了する。
【００４３】
したがって、ワイヤレスマイク１１〜１８と音声受信機１００を赤外線通信により接続して、グローバルＩＤの取得やローカルＩＤの付与を完了し、使用可能にワイヤレスマイク１１〜１８を登録することができる。
【００４４】
このように本実施形態においては、上述実施形態による作用効果に加えて、ワイヤレスマイク１１〜１８を音声受信機１００に対して登録する際に、テンキーなどによる入力操作を行うことなく、そのワイヤレスマイク１１〜１８と音声受信機１００との間で赤外線通信を行うことにより、ワイヤレスマイクとの間でグローバルＩＤやローカルＩＤのやり取りを行って、使用するワイヤレスマイク１１〜１８の登録を完了することができる。したがって、ワイヤレスマイクと帯域も違って指向性が高い赤外線通信を使用することで他の無線システムの影響を気にすることなく、他の電波と誤認識しないように、自動チャンネル設定を行うことができるようにワイヤレスマイク１１〜１８を容易に予め登録することができる。
【００４５】
次に、図１０および図１１は本発明に係るワイヤレスマイクシステムの第４実施形態を示す図である。
【００４６】
図１０において、双方向デジタルワイヤレスマイクシステムの音声受信機１００は、エリアＬ１で使用する８本のワイヤレスマイク１１〜１８との間でアンテナ（無線接続手段）１０２を介して専用（特定）の周波数の無線通信により登録用信号を送受するように設定されており、上述実施形態と同様に、予め設定するワイヤレスマイク１１〜１８毎の固有のグローバルＩＤ：Ａ〜Ｎをその無線通信により受け取って登録するとともに、それぞれのワイヤレスマイク１１〜１８に対してエリアＬ１内でのローカルＩＤ：ａ〜ｎを付与することができるようになっている。なお、専用の周波数は、予め任意の周波数に設定するなどしておけばよい。
【００４７】
具体的には、図１１のフローチャートに示すように、例えば、ワイヤレスマイク１１は、登録処理の指示操作があると、そのワイヤレスマイク１１から特定周波数の無線通信で固有の識別子であるグローバルＩＤの登録要求を音声受信機１００にすることにより（ステップＳ５１）、その音声受信機１００が、登録要求を受け取って確認し（ステップＳ５２）、グローバルＩＤを送信するようワイヤレスマイク１１に要求する（ステップＳ５３）。
【００４８】
以降、上述実施形態と同様に、グローバルＩＤの送信要求を受けたワイヤレスマイク１１は、ワイヤレスマイク１１の識別子であるグローバルＩＤ：Ａを参照して送信する（ステップＳ５４、Ｓ５５）。
【００４９】
受信したデータの中からグローバルＩＤ：Ａを検出した音声受信機１００は、ＩＤデータ保存部１０１内にそのグローバルＩＤ：Ａを登録する（ステップＳ５６）とともに、エリアＬ１内でのワイヤレスマイク１１の識別子となるローカルＩＤ：ａを発行して送信・付与する（ステップＳ５７）。
【００５０】
ローカルＩＤを受信したワイヤレスマイク１１は、付与されたローカルＩＤ：ａをメモリ内に記録保持し（ステップＳ５８）、登録処理を完了する。
【００５１】
したがって、ワイヤレスマイク１１〜１８と音声受信機１００を特定周波数の無線通信により接続して、グローバルＩＤの取得やローカルＩＤの付与を完了し、使用可能にワイヤレスマイク１１〜１８を登録することができる。
【００５２】
このように本実施形態においては、上述実施形態による作用効果に加えて、ワイヤレスマイク１１〜１８を音声受信機１００に対して登録する際に、テンキーなどによる入力操作を行うことなく、そのワイヤレスマイク１１〜１８と音声受信機１００との間で特定周波数の無線通信を行うことにより、ワイヤレスマイクとの間でグローバルＩＤやローカルＩＤのやり取りを行って、使用するワイヤレスマイク１１〜１８の登録を完了することができる。したがって、登録用の専用デバイスを特に設置することによりコストアップしてしまうことなく、他の電波と誤認識しないように、自動チャンネル設定を行うことができるようにワイヤレスマイク１１〜１８を容易に予め登録することができる。
【００５３】
【発明の効果】
以上説明したように、本発明によれば、ワイヤレスマイク固有のグローバルＩＤを音声受信機に対して登録することにより、任意のエリア内においてのローカルＩＤをワイヤレスマイクに対して付与することができ、この後に、受信データからローカルＩＤを検出したときには、その検出ローカルＩＤを登録されているデータベースより検索して、予め音声受信機内で保有している周波数チャンネルテーブルから双方向通信を行うための周波数チャンネルを、そのワイヤレスマイクに対して設定することができる。
【００５４】
したがって、任意のエリア内において、ワイヤレスマイクが発信した電波を他の無線システムからの電波と誤認識しないように、予め登録されているワイヤレスマイクに対してのみ自動チャンネル設定を容易な構成により行うことができ、同一エリア内で使用する複数ワイヤレスマイクの音声を混信することなく通信することができるという、優れた効果を有する多チャンネルのワイヤレスマイクシステムを提供することができる。
【図面の簡単な説明】
【図１】本発明に係るワイヤレスマイクシステムの第１実施形態の概略全体構成を示す概念図
【図２】本発明に係るワイヤレスマイクシステムの第１実施形態の要部構成を示す概念図
【図３】本発明に係るワイヤレスマイクシステムの第１実施形態による制御を説明するフローチャート
【図４】本発明に係るワイヤレスマイクシステムの第２実施形態の要部構成を示す立面図
【図５】本発明に係るワイヤレスマイクシステムの第２実施形態による制御を説明するフローチャート
【図６】本発明に係るワイヤレスマイクシステムの第３実施形態の要部構成を示す立面図
【図７】本発明に係るワイヤレスマイクシステムの第３実施形態による制御を説明するフローチャート
【図８】本発明に係るワイヤレスマイクシステムの第４実施形態の要部構成を示す立面図
【図９】本発明に係るワイヤレスマイクシステムの第４実施形態による制御を説明するフローチャート
【図１０】本発明に係るワイヤレスマイクシステムの第５実施形態の要部構成を示す立面図
【図１１】本発明に係るワイヤレスマイクシステムの第５実施形態による制御を説明するフローチャート
【図１２】従来技術を説明する概念図
【符号の説明】
１１〜１８ ワイヤレスマイク
１００ 音声受信機
１０１ ＩＤデータ保存部
１０３ 直接接続部
１０４ 通信接続ポート
１０５ 赤外線接続ポート
【図１】
0003886775.tif 000002
【図２】
0003886775.tif 000003
【図３】
0003886775.tif 000004
【図４】
0003886775.tif 000005
【図５】
0003886775.tif 000006
【図６】
0003886775.tif 000007
【図７】
0003886775.tif 000008
【図８】
0003886775.tif 000009
【図９】
0003886775.tif 000010
【図１０】
0003886775.tif 000011
【図１１】
0003886775.tif 000012
【図１２】
0003886775.tif 000013